(57)【要約】【課題】施工性良く、網状体を張ることができる網戸を提供する。【解決手段】網戸３は、四方枠状に形成された框体と、框体内に張設された網状体８０と、を備えた網戸であって、框体は、係止溝４３ｇが形成された第一框部４０と、第一框部４０の屋内外方向の一方側に、第一框部４０との間に空間Ｓを形成するように対向配置された第二框部５０と、係止溝４３ｇに配置された網状体８０を係止溝４３ｇ内に押さえ付ける押さえ部６０と、を有し、空間Ｓには、網状体８０の端部８０ｅが配置可能とされていることを特徴とする。【選択図】図５
2019178530.tif 000002
【特許請求の範囲】
【請求項１】
四方枠状に形成された框体と、該框体内に張設された網状体と、を備えた網戸であって、
前記框体は、
係止溝が形成された第一框部と、
該第一框部の屋内外方向の一方側に、前記第一框部との間に空間を形成するように対向配置された第二框部と、
前記係止溝に配置された前記網状体を前記係止溝内に押さえ付ける押さえ部と、を有し、
前記空間には、前記網状体の端部が配置可能とされていることを特徴とする網戸。
【請求項２】
前記空間は、前記係止溝よりも前記框体の外周側に形成されている請求項１に記載の網戸。
【請求項３】
前記第二框部は、前記第一框部の内周側と外周側とを結ぶ框幅方向の略全長にわたって配置されている請求項１または２に記載の網戸。
【請求項４】
前記係止溝の開口側に配置され、前記押さえ部を前記係止溝内に位置決めする位置決め部を備える請求項１から３のいずれか一項に記載の網戸。
【請求項５】
前記位置決め部は、前記空間内に配置されている請求項４に記載の網戸。
【請求項６】
前記位置決め部は、前記第一框部に係止されている請求項４または５に記載の網戸。
【請求項７】
前記第二框部は、外周側の端部が前記第一框部に係止されるとともに、内周側の端部が前記位置決め部に係止されている請求項４から６のいずれか一項に記載の網戸。
【発明の詳細な説明】
【技術分野】
【０００１】
本発明は、網戸に関するものである。
【背景技術】
【０００２】
従来から、網戸の網状体（網）の端部は、框体に形成された溝内に挿入され、ゴム等の材料で形成された押さえ部材で溝の壁部に押さえ付けられて、框体に固定されている（例えば、下記の特許文献１参照）。
【先行技術文献】
【特許文献】
【０００３】
【特許文献１】実開昭５５−１５０号公報
【発明の概要】
【発明が解決しようとする課題】
【０００４】
しかしながら、上記の特許文献１に記載されたような網状体の框体への固定方法では、網状体を張り替える際には、網状体の長さが長すぎると網状体の端部が框体の溝内で納まりきらずはみ出てしまう。または、網状体を取り付けた後にははみ出した部分を切り取る必要があるため、加工手間が生じ、施工性が悪いという問題点がある。
【０００５】
そこで、本発明は、上記事情に鑑みてなされたものであり、施工性良く、網状体を張ることができる網戸を提供する。
【課題を解決するための手段】
【０００６】
上記目的を達成するために、本発明は以下の手段を採用している。
すなわち、本発明に係る網戸は、四方枠状に形成された框体と、該框体内に張設された網状体と、を備えた網戸であって、前記框体は、係止溝が形成された第一框部と、該第一框部の屋内外方向の一方側に、前記第一框部との間に空間を形成するように対向配置された第二框部と、前記係止溝に配置された前記網状体を前記係止溝内に押さえ付ける押さえ部と、を有し、前記空間には、前記網状体の端部が配置可能とされていることを特徴とする。
【０００７】
このように構成された網戸では、網状体は、押さえ部により第一框部の係止溝内に押さえ付けられる。第一框部と第二框部とにより形成される屋外側方向の空間には、網状体の端部が配置可能とされている。よって、網状体の余剰部分を第一框部と第二框部との間の空間に配置できるため、網状体を張設される正確な大きさに切断する必要がなく、施工性を良好とすることができる。
【０００８】
また、本発明に係る網戸では、前記空間は、前記係止溝よりも前記框体の外周側に形成されていることが好ましい。
【０００９】
このように構成された網戸では、空間は係止溝よりも框体の外周側に形成されている。よって、網状体の余剰部分を折り返したりすることなく、第一框部と第二框部との間の空間に配置することができるため、施工がしやすい。
【００１０】
また、本発明に係る網戸では、前記第二框部は、前記第一框部の内周側と外周側とを結ぶ框幅方向の略全長にわたって配置されていてもよい。
【００１１】
このように構成された網戸では、第二框部は第一框部の框幅方向の略全長にわたって配置されている。よって、屋内外方向の一方側から見ると、第一框部は第二框部で隠れているため、第一框部と第二框部との境界部分等が目立たず、デザイン性が良い。
【００１２】
また、本発明に係る網戸は、前記係止溝の開口側に配置され、前記押さえ部を前記係止溝内に位置決めする位置決め部を備えていてもよい。
【００１３】
このように構成された網戸では、係止溝の開口側には押さえ部を係止溝内に位置決めする位置決め部が配置されているため、網状体を押さえ付ける押さえ部の位置決めができ、作業性が良い。
【００１４】
また、本発明に係る網戸では、前記位置決め部は、前記空間内に配置されていてもよい。
【００１５】
このように構成された網戸では、位置決め部は第一框部と第二框部との間の空間内に配置されているため、位置決め部の露出が抑制され、デザイン性が良い。
【００１６】
また、本発明に係る網戸では、前記位置決め部は、前記第一框部に係止されていてもよい。
【００１７】
このように構成された網戸では、位置決め部は第一框部に係止されているため、位置決め部の脱落が抑制される。
【００１８】
また、本発明に係る網戸では、前記第二框部は、外周側の端部が前記第一框部に係止されるとともに、内周側の端部が前記位置決め部に係止されていてもよい。
【００１９】
このように構成された網戸では、第二框部の外周側の端部は第一框部に係止されるとともに、第二框部の内周側の端部は位置決め部に係止されている。よって、第二框部が第一框部または位置決め部から外れることが確実に抑制される。
【発明の効果】
【００２０】
本発明に係る網戸によれば、施工性良く、網状体を張ることができる。
【図面の簡単な説明】
【００２１】
【図１】本発明の一実施形態に係る網戸を備えた引き戸の縦断面図である。
【図２】本発明の一実施形態に係る網戸を備えた引き戸の横断面図である。
【図３】本発明の一実施形態に係る網戸を屋外側から見た正面図である。
【図４】本発明の一実施形態に係る網戸の構成を示す図である。
【図５】図１のＡ部拡大図である。
【発明を実施するための形態】
【００２２】
以下、本発明の一実施形態による網戸を備えた建築物の開口部に設けられる建具の一例として引き戸（片引戸）について、図１から図５に基づいて説明する。
図１は、本発明の一実施形態に係る網戸を備えた引き戸の縦断面図である。図２は、本発明の一実施形態に係る網戸を備えた引き戸の横断面図である。
図１及び図２に示すように、引き戸１００は、建築物の壁部の開口部Ｗに設けられ枠体１と、枠体１内に設けられた障子２及び網戸３と、を備えている。
なお、以下の説明において、屋外側と屋内側とを結ぶ方向を屋内外方向と称する。また、開口部Ｗが壁部を貫通する方向（壁部に対向する方向）から見た際の左側と右側を結ぶ水平方向を左右方向と称する。
【００２３】
枠体１は、上下方向に延在する上枠１１及び下枠１２と、上枠１１の両端部と下枠１２の両端部とをそれぞれ連結し上下方向に延在する縦枠１３と、上枠１１の左右方向の中間部と下枠１２の左右方向の中間部とを連結する方立１４と、を有している。方立１４は、建築物の壁部等に固定されている。
【００２４】
障子２は、枠体１に左右方向にスライド可能に設けられている。障子２は、四方枠状に形成された障子框体２０と、障子框体２０内に納められたガラス２９と、を有している。
【００２５】
障子框体２０は、左右方向に延在する障子上框２１及び障子下框２２と、障子上框２１の両端部と障子下框２２の両端部とをそれぞれ連結し上下方向に延在する障子縦框２３と、を有している。本実施形態では、枠体１及び障子框体２０は、屋外側が例えばアルミ合金等の金属材料の押出材で形成され、屋内側が樹脂材料で形成されたアルミ樹脂複合サッシである。なお、枠体１及び障子框体２０は、金属材料のみで形成されていてもよい。下框には、下枠１２に沿って左右方向に走行可能な戸車（不図示）が設けられている。
【００２６】
各障子２框には、それぞれ断面略コの字状のガラス保持溝２８が形成されている。ガラス２９の周端部は、ガラス保持溝２８内に嵌め込まれている。
【００２７】
図２に示すように、網戸３は、枠体１に左右方向にスライド可能に設けられている。
図３は、網戸３を屋外側から見た正面図である。
図３に示すように、網戸３は、四方枠状に形成された網戸框体（框体）３０と、網戸框体３０内に張設された網状体８０と、を有している。
【００２８】
網戸框体３０は、左右方向に延在する網戸上框３１Ａ及び網戸下框３１Ｂと、網戸上框３１Ａの両端部と網戸下框３１Ｂの両端部とをそれぞれ連結し上下方向に延在する網戸縦框３１Ｃと、を有している。網戸上框３１Ａ、網戸下框３１Ｂ及び網戸縦框３１Ｃでは、屋内外方向に沿う断面は同一形状をなしている。以下の説明において、網戸上框３１Ａ、網戸下框３１Ｂ及び網戸縦框３１Ｃのそれぞれを、単に網戸框３１と称することがある。
なお、以下の説明において、四方枠状に形成された網戸框体３０の外周側を単に外周側と称し、外周側と反対側の内周側（網状体８０側）を単に内周側と称する。また、外周側と内周側とを結ぶ方向を、框幅方向と称する。
【００２９】
図４は、網戸３の構成を示す図である。図５は、図１のＡ部拡大図である。
図４及び図５に示すように、網戸框３１は、框本体（第一框部）４０と、框カバー（第二框部）５０と、網押し棒（押さえ部）６０と、クリップ材（位置決め部）７０と、を有している。框本体４０、框カバー５０及び網押し棒６０は、網戸框３１の長手方向に沿って延在している。クリップ材７０は、網戸框３１の長手方向に間隔を有して複数設けられている（図１参照）。
【００３０】
框本体４０は、屋内側板部４１と、内周壁部４２と、溝形成壁部４３と、屋外側板部４４と、を有している。
【００３１】
屋内側板部４１は、板状に形成されている。屋内側板部４１は、板厚方向を屋内側方向に向けて配置されている。
【００３２】
内周壁部４２は、屋内側板部４１の内周側の端部から屋外側に向けて延びている。溝形成壁部４３は、屋内側板部４１の内周側の端部よりも外周側の部分から屋外側に向けて延びている。
【００３３】
内周壁部４２、屋内側板部４１及び溝形成壁部４３により、屋内側に凹む棒係止溝（係止溝）４３ｇが形成されている。
【００３４】
内周壁部４２には、外周側（溝形成壁部４３側）に向かって突出する突起４２ａ，４２ｂが複数設けられている。突起４２ａは、突起４２ｂよりも屋外側に配置されている。突起４２ａは、棒係止溝４３ｇの開口側に設けられている。
【００３５】
溝形成壁部４３には、内周側（内周壁部４２側）に向かって突出する複数の突起４３ａが設けられている。
【００３６】
屋外側板部４４は、溝形成壁部４３の屋外側の端部から外周側に延びている。屋外側板部４４は、板状に形成されている。屋外側板部４４は、板厚方向を屋内側方向に向けて配置されている。
【００３７】
屋外側板部４４には、屋内側に向かって延びる屈曲壁部４５が上下方向に離間して一対設けられている。一対の屈曲壁部４５の屋内側の端部どうしは、連結壁部４６で連結されている。一対の屈曲壁部４５及び連結壁部４６により、屋内側に凹むクリップ溝４６ｇが形成されている。
【００３８】
屋外側板部４４には、クリップ溝４６ｇに連通するように、屋内外方向に貫通するスリット４４ｓが形成されている。スリット４４ｓの框幅方向の長さは、クリップ溝４６ｇの框幅方向の長さよりも短い。
【００３９】
屋外側板部４４の外周側の端部には、屋内側に向かって延びるカバー係止片４７が設けられている。
【００４０】
屋内側板部４１と屋外側板部４４とは、外周側と内周側との中間で、連結板部４８で連結されている。屋内側板部４１の外周側、屋外側板部４４の外周側及び連結板部４８で囲まれた空間内には、下枠１２上を走行可能な戸車４９（図５参照）が設けられてい。
【００４１】
框カバー５０は、カバー板部５１と、内周壁部５２と、外周壁部５３と、を有している。
【００４２】
カバー板部５１は、板状に形成されている。カバー板部５１は、板厚方向を屋内側方向に向けて配置されている。
【００４３】
カバー板部５１は、框本体４０の屋外側板部４４よりも屋外側に離間して配置されている。カバー板部５１と屋外側板部４４との間には、余剰空間（空間）Ｓが形成されている。余剰空間Ｓは、框本体４０の棒係止溝４３ｇよりも外周側に形成されている。
【００４４】
カバー板部５１の内周側の端部は、框本体４０の内周側の端部と同一平面上（框幅方向の同一位置）に配置されている。カバー板部５１の外周側の端部は、框本体４０の外周側の端部と同一平面上（框幅方向の同一位置）に配置されている。換言すると、カバー板部５１は、框本体４０の框幅方向の略全長にわたって配置されている。カバー板部５１には、屋内側に向かって突出する支持片５１ａが設けられている。
【００４５】
内周壁部５２は、カバー板部５１の内周側の端部から屋内側に向けて延びている。内周壁部５２には、外周側に向かって延出するクリップ係止壁部５２ａ及び端部壁部５２ｂが設けられている。端部壁部５２ｂは、クリップ係止壁部５２ａよりも屋内側に配置されている。端部壁部５２ｂは、框本体４０の突起４２ａよりも屋外側に対向配置されている。
【００４６】
外周壁部５３は、カバー板部５１の外周側の端部から屋内側に向けて延びている。外周壁部５３の屋内側の端部には、内周側に向かって延出する框本体係止片５３ａが設けられている。
【００４７】
框本体係止片５３ａは、框本体４０のカバー係止片４７の屋内側に配置され、カバー係止片４７に係止されている。
【００４８】
隣接する網戸框３１どうしにおいて、框カバー５０のカバー板部５１は左右方向及び上下方向に沿う同一平面上に配置されている。
【００４９】
網押し棒６０は、屋内外方向に沿う断面が環状をなしている。網押し棒６０は、合成ゴム等の材料で形成されている。網押し棒６０は、框本体４０の棒係止溝４３ｇ内に配置されている。
【００５０】
網状体８０の端部８０ｅは、框本体４０の内周壁部４２の突起４２ａと、框カバー５０の内周壁部５２の端部壁部５２ｂとの間から、余剰空間Ｓ内に挿入されている。網状体８０は、網押し棒６０と棒係止溝４３ｇの内周面との間に配置されている。網状体８０は、網押し棒６０により棒係止溝４３ｇの底部側（屋内側板部４１側）に押圧されている。また、網状体８０は、框本体４０の突起４２ａ，４２ｂ，４３ａと網押し棒６０との間に挟み込まれている。
【００５１】
網状体８０の余剰部分８０ａは、棒係止溝４３ｇから出て、框本体４０の屋外側板部４４の屋外側を向く面に沿って配置されている。
【００５２】
クリップ材７０は、基部７１と、傾斜部７２と、框本体係止部７３と、延出部７４と、位置決め片７５と、を有している。クリップ材７０は、框本体４０と框カバー５０との間に形成された余剰空間Ｓ内に配置されている。
【００５３】
基部７１は、框幅方向に沿って配置されている。基部７１の屋外側を向く面は、框カバー５０の支持片５１ａに支持されている。
【００５４】
傾斜部７２は、基部７１の外周側の端部から、屋内側に向かうにしたがって次第に外周側に向かうように形成されている。傾斜部７２の外周側の端部は、框本体４０のスリット４４ｓに挿入されている。
【００５５】
框本体係止部７３は、傾斜部７２の外周側の端部から、框幅方向の両側に延びるように形成されている。框本体係止部７３は、板状に形成されている。框本体係止部７３は、板厚方向を屋内外方向に向けて配置されている。框本体係止部７３は、板厚方向に弾性変形可能とされている。
【００５６】
框本体係止部７３は、框本体４０のクリップ溝４６ｇ内に係止されている。框本体係止部７３の框幅方向の長さは、クリップ溝４６ｇの框幅方向の長さと略同一か僅かに短い。これにより、框本体係止部７３がクリップ溝４６ｇ内での移動が規制されるため、クリップ材７０が屋外側に傾倒することが抑制されている。
【００５７】
基部７１の内周側の端部には、内周側に向かうにしたがって次第に屋外側に延びる傾斜片部７１ａが設けられている。
【００５８】
延出部７４は、傾斜片部７１ａの内周側の端部から、内周側に向かって延びている。延出部７４の内周側の端部は、框カバー５０のカバー板部５１とクリップ係止壁部５２ａとの間に挟み込まれている。換言すると、框カバー５０は、クリップ材７０に係止されている。クリップ材７０では、框本体係止部７３が框本体４０のクリップ溝４６ｇ内に係止されて、屋外側の傾倒が抑制されている。よって、框カバー５０が屋外側に傾倒しようとしても、屋外側に傾倒不能なクリップ材７０を框カバー５０のカバー板部５１とクリップ係止壁部５２ａとで屋内側方向に挟み込んでいるため、框カバー５０が屋外側に傾倒することが抑制される。
【００５９】
基部７１の内周側の端部には、内周側に向かうにしたがって次第に屋内側に延びる傾斜枝部７１ｂが設けられている。
【００６０】
位置決め片７５は、傾斜枝部７１ｂの内周側の端部に設けられている。位置決め片７５は、框本体４０の棒係止溝４３ｇの開口に沿うとともに、框本体４０の棒係止溝４３ｇ内に配置された網押し棒６０に沿って配置されている。位置決め片７５は、網押し棒６０を棒係止溝４３ｇ内に位置決めしている。
【００６１】
次に、上記の網状体８０を網戸框体３０に張設する方法について説明する。
まず、四方枠状に形成された網戸框体３０を、床面等の作業面上に設置する。網状体８０を切断する。この際に、網状体８０を網戸框体３０上に配置して、網状体８０の端部８０ｅが棒係止溝４３ｇよりも外周側に配置される大きさに切断すればよい。
【００６２】
次に、網押し棒６０で網状体８０を框本体４０の棒係止溝４３ｇの底部側に押圧するように、網押し棒６０を棒係止溝４３ｇ内に押し込んでいく。網状体８０の余剰部分８０ａは、框本体４０の屋外側板部４４における屋外側を向く面に沿って配置しておく。
【００６３】
次に、クリップ材７０の框本体係止部７３を、框本体４０のスリット４４ｓから挿入して、クリップ溝４６ｇ内に係止させる。この際、クリップ材７０の框本体係止部７３は、弾性変形して、クリップ溝４６ｇ内に挿入される。ここで、クリップ材７０の位置決め片７５を、框本体４０の棒係止溝４３ｇの開口側に配置して、網押し棒６０を棒係止溝４３ｇ内に位置決めするようにする。これにより、他の網戸框３１において網押し棒６０の押し込み作業をしている際等に、当該網戸框３１に網状体８０からの張力が作用して、当該網戸框３１において網押し棒６０が棒係止溝４３ｇから脱落することが抑制される。
【００６４】
次に、框カバー５０を框本体４０の長手方向の端部から、長手方向に沿ってスライドさせる。この際に、框本体４０のカバー係止片４７に、框カバー５０の框本体係止片５３ａを係止させる。
【００６５】
框カバー５０をスライドさせる際に、クリップ材７０が配置される箇所では、クリップ材７０の延出部７４を、框カバー５０のカバー板部５１とクリップ係止壁部５２ａとの間に配置する。所定の位置まで框カバー５０をスライドさせると、作業が完了する。
【００６６】
このように構成された引き戸１００では、網状体８０は、網押し棒６０により棒係止溝４３ｇ内に押さえ付けられる。框本体４０と框カバー５０とにより形成される余剰空間Ｓには、網状体８０の余剰部分８０ａが配置可能とされている。よって、網状体８０の余剰部分８０ａを框本体４０と框カバー５０との間の余剰空間Ｓに配置できるため、網状体８０を張設される正確な大きさに切断する必要がなく、施工性を良好とすることができる。
【００６７】
また、余剰空間Ｓは棒係止溝４３ｇよりも網戸框体３０の外周側に形成されている。よって、網状体８０の余剰部分８０ａを折り返したりすることなく、余剰空間Ｓに配置することができるため、施工がしやすい。
【００６８】
また、框カバー５０は框本体４０の框幅方向の略全長にわたって配置されている。よって、屋外側から見ると、框本体４０は框カバー５０で隠れているため、框本体４０と框カバー５０との境界部分等が目立たず、デザイン性が良い。
【００６９】
また、棒係止溝４３ｇの開口側には網押し棒６０を棒係止溝４３ｇ内に位置決めするクリップ材７０が配置されているため、網状体８０を押さえ付ける網押し棒６０の位置決めができ、作業性が良い。
【００７０】
また、クリップ材７０は余剰空間Ｓ内に配置されている。よって、屋外側から見るとクリップ材７０は框カバー５０で隠れ、屋内側から見るとクリップ材７０は框本体４０で隠れているため、クリップ材７０の露出が抑制され、デザイン性が良い。
【００７１】
また、クリップ材７０は框本体４０に係止されているため、クリップ材７０の脱落が抑制される。
【００７２】
また、框カバー５０の外周側の端部である框本体係止部７３は、框本体４０のクリップ溝４６ｇ内に係止されている。また、框カバー５０の内周側の端部である延出部７４は、框カバー５０のカバー板部５１とクリップ係止壁部５２ａとの間に挟み込まれている。また、クリップ材７０の框本体係止部７３は、框本体４０のクリップ溝４６ｇ内に係止されている。よって、框カバー５０が框本体４０から外れることが確実に抑制される。
【００７３】
なお、上述した実施の形態において示した各構成部材の諸形状や組み合わせ等は一例であって、本発明の主旨から逸脱しない範囲において設計要求等に基づき種々変更可能である。
【００７４】
例えば、上記に示す実施形態では、網戸３が設置される建具として、１枚の障子２がスライド可能に設けられた引き戸１００を例に挙げて説明したが、本発明はこれに限られず、複数枚の障子がスライド可能に設けられた引き違い戸等の各種建具に適用可能である。
【００７５】
また、上記に示す実施形態では、框カバー５０は框本体４０よりも屋外側に配置されているが、本発明にこれに限られず、係止溝が形成された第一框部が第二框部よりも屋内側に配置されていてもよい。
【００７６】
また、上記に示す実施形態では、余剰空間Ｓは棒係止溝４３ｇよりも網戸框体３０の外周側に形成されているが、本発明はこれに限られず、第一框部と第二框部との間に形成される空間が係止溝よりも框体の内周側等に形成されていてもよい。
【００７７】
また、上記に示す実施形態では、框カバー５０は框本体４０の框幅方向の略全長にわたって対向配置されているが、本発明はこれに限られない。第二框部は、第一框部の框幅方向の一部にのみ対向配置されていてもよい。
【００７８】
また、上記に示す実施形態では、クリップ材７０が設けられているが、本発明はこれに限られず、位置決め部が設けられていなくてもよい。
【００７９】
また、上記に示す実施形態では、クリップ材７０は、框本体４０及び框カバー５０と別体で設けられているが、本発明はこれに限られない。位置決め部が、第一框部及び第二框部のいずれか一方と一体として形成されていてもよい。
【００８０】
また、上記に示す実施形態では、クリップ材７０は、余剰空間Ｓ内に配置されているが、本発明はこれに限られず、位置決め部が空間内に納められていなくてもよい。
【００８１】
また、上記に示す実施形態では、網状体８０の余剰部分８０ａは、框本体４０の屋外側板部４４の屋外側を向く面に沿って面状に配置されているが、本発明はこれに限られない。網状体８０の余剰部分８０ａの長さが長い場合には、網状体８０の余剰部分８０ａは余剰空間Ｓ内で内周側に折り返されていてもよい。
【符号の説明】
【００８２】
１…枠体
２…障子
３…網戸
１１…上枠
１２…下枠
１３…縦枠
１４…方立
２０…障子框体
２１…障子上框
２２…障子下框
２３…障子縦框
２９…ガラス
３０…網戸框体（框体）
３１…網戸框
３１Ａ…網戸上框
３１Ｂ…網戸下框
３１Ｃ…網戸縦框
４０…框本体（第一框部）
４３ｇ…棒係止溝（係止溝）
５０…框カバー（第二框部）
６０…網押し棒（押さえ部）
７０…クリップ材（位置決め部）
８０…網状体
８０ａ…余剰部分
１００…引き戸
Ｓ…余剰空間（空間）
【図１】
2019178530.tif 000003
【図２】
2019178530.tif 000004
【図３】
2019178530.tif 000005
【図４】
2019178530.tif 000006
【図５】
2019178530.tif 000007